(57)【要約】【課題】パネルのがたつきを有効に抑えつつ、パネルを容易に支持体に装着することができるパネル付什器を提供する。【解決手段】パネル付什器１は、間隔をあけて互いに対向して延在するとともに、幅方向Ｄｗにおける内側に向けて開口する凹溝２６を有する一対の支持体２０と、一対の支持体２０の間に配置され、幅方向Ｄｗにおける両端部５ｓが凹溝２６内に挿入された板状のパネルと、幅方向Ｄｗに延び、幅方向Ｄｗにおける両端部が、パネルの少なくとも一方の表面５ｆと凹溝２６の側面２６ｓとの間に挟み込まれたスペーサ部材８と、を備える構成とした。【選択図】図５
2020065875.tif 000002
【特許請求の範囲】
【請求項１】
間隔をあけて互いに対向して延在するとともに、対向方向における内側に向けて開口する凹溝をそれぞれ有する支持体と、
一対の前記支持体の間に配置され、前記対向方向における両端部が前記凹溝内に挿入されたパネルと、
前記対向方向に延びるとともに、前記対向方向における両端部が、前記パネルの少なくとも一方の表面と、前記凹溝の内面のうち、前記パネルの厚み方向において前記一方の表面に対向する側面と、の間に挟み込まれるスペーサ部材と、
を備えるパネル付什器。
【請求項２】
一対の前記支持体は、それぞれ上下方向に延び、
前記対向方向に延びるとともに、前記対向方向における両端部が前記凹溝に挿入され、前記パネルの下端部を支持するパネル支持部材を備え、
前記スペーサ部材は、前記パネル支持部材上に設けられている
請求項１に記載のパネル付什器。
【請求項３】
前記パネルは、磁性材料を含んで形成され、
前記スペーサ部材は、前記パネルに磁着可能なマグネットを備える
請求項１又は２に記載のパネル付什器。
【請求項４】
前記スペーサ部材は、
一対の前記支持体の間で前記パネルの前記一方の表面に沿うスペーサ本体と、
前記スペーサ本体から前記対向方向両側に突出し、前記パネルの前記一方の表面と前記凹溝の前記側面との間に挿入される爪部と、を備える
請求項１から３のいずれか一項に記載のパネル付什器。
【請求項５】
前記スペーサ部材は、前記スペーサ本体に配設されたオプション機能部を備える
請求項４に記載のパネル付什器。
【請求項６】
前記オプション機能部は、前記スペーサ本体に対して前記パネルの前記一方の表面から離間する側に延び、物品を支持する物品支持部である
請求項５に記載のパネル付什器。
【請求項７】
前記物品支持部は、前記パネルの前記一方の表面から離間する側に突出し、前記対向方向に連続する板状の受け部材である
請求項６に記載のパネル付什器。
【発明の詳細な説明】
【技術分野】
【０００１】
本発明は、パネル付什器に関する。
【背景技術】
【０００２】
オフィス等をはじめとする各種の空間において、空間を仕切る機能、情報を筆記して表示する機能、写真や書類等を展示する機能等を持たせるため、板状のパネルを用いたパネル付什器が用いられている。このようなパネル付什器は、板状のパネルと、パネルが床面に交差した面内に位置するよう、パネルを立てて支持する支持体と、を備えている。
【０００３】
このようなパネル付什器において、支持体でパネル等を支持する構造の一つとして、例えば特許文献１には、一対の支持体の互いに対向する内側面に、一対の支持体の対向方向における内側に向けて開口する凹溝を設け、物品載置部（パネル）の対向方向での両端部を凹溝内に配置させる構成が開示されている。この構成において、凹溝は、支持体に沿って上下方向に延びている。物品載置部は、その両側部を凹溝の上端から挿入し、下方にスライドさせることで、支持体に容易に装着できる。
【先行技術文献】
【特許文献】
【０００４】
【特許文献１】特開２０１８−６８９７５号公報
【発明の概要】
【発明が解決しようとする課題】
【０００５】
特許文献１に開示されたような構成では、物品載置部の両端部を凹溝内でスライドさせるため、物品載置部（パネル）の厚み方向において物品載置部の表面と凹溝の側面との間に、クリアランスを設ける必要がある。しかし、このクリアランスにより、凹溝内で物品載置部にがたつきが生じる場合がある。
本発明は、パネルのがたつきを有効に抑えつつ、パネルを容易に支持体に装着することができるパネル付什器を提供することを目的とする。
【課題を解決するための手段】
【０００６】
上記目的を達成するために、本発明の一態様に係るパネル付什器は、間隔をあけて互いに対向して延在するとともに、対向方向における内側に向けて開口する凹溝をそれぞれ有する支持体と、一対の前記支持体の間に配置され、前記対向方向における両端部が前記凹溝内に挿入されたパネルと、前記対向方向に延びるとともに、前記対向方向における両端部が、前記パネルの少なくとも一方の表面と、前記凹溝の内面のうち、前記パネルの厚み方向において前記一方の表面に対向する側面と、の間に挟み込まれるスペーサ部材と、を備える。
【０００７】
このような構成によれば、パネルの両端部を支持体の延在方向に沿って凹溝内に挿入することで、パネルを支持体に容易に装着することができる。さらに、スペーサ部材の両端を、パネルの一方の表面と凹溝の側面との間に挟み込むことで、凹溝内でパネルが厚み方向に動いてガタ付きを生じるのを抑えることができる。
特に、上記態様によれば、スペーサ部材が各支持体間に対向方向で架け渡されるので、パネルの一方の表面と各凹溝の側面との間に別々のスペーサを介在させる場合に比べ、組付性の向上を図ることができる。また、スペーサ部材の着脱時には、例えばスペーサ部材における対向方向の中央部を把持した状態で、スペーサ部材を操作させることができる。これによっても、組付性等の向上を図ることができる。
【０００８】
本発明の一態様に係るパネル付什器において、一対の前記支持体は、それぞれ上下方向に延び、前記対向方向に延びるとともに、前記対向方向における両端部が前記凹溝に挿入され、前記パネルの下端部を支持するパネル支持部材を備え、前記スペーサ部材は、前記パネル支持部材上に設けられているようにしてもよい。
この構成によれば、パネル支持部材により、パネルの下端部を下方から支持することができる。しかも、パネル付什器の組み付け時において、パネル支持部材をパネルよりも先に取り付けた状態で、パネルを凹溝に上方から挿入し、パネル支持部材に突き当てることで、パネルの上下方向の位置を容易に位置決めすることができる。
【０００９】
本発明の一態様に係るパネル付什器において、前記パネルは、磁性材料を含んで形成され、前記スペーサ部材は、前記パネルに磁着可能なマグネットを備えるようにしてもよい。
この構成によれば、スペーサ部材をマグネットによりパネルの一方の表面に固定することができる。これにより、スペーサ部材は、パネルの一方の表面と凹溝の側面との間に挟み込まれた両端に加えて、マグネットでもパネルに固定されることになる。したがって、スペーサ部材を、より強固に固定することが可能となる。
【００１０】
本発明の一態様に係るパネル付什器において、前記スペーサ部材は、一対の前記支持体の間で前記パネルの前記一方の表面に沿うスペーサ本体と、前記スペーサ本体から前記対向方向両側に突出し、前記パネルの前記一方の表面と前記凹溝の前記側面との間に挿入される爪部と、を備えるようにしてもよい。
この構成によれば、スペーサ本体から両側に突出する爪部を、パネルの一方の表面と凹溝の側面との間に挿入することで、凹溝内でパネルが厚み方向に動いてガタ付きを生じるのを抑えることができる。
【００１１】
本発明の一態様に係るパネル付什器において、前記スペーサ部材は、前記スペーサ本体に配設されたオプション機能部を備えるようにしてもよい。
この構成によれば、パネルのガタ付きを抑えるスペーサ部材に、オプション機能を備えることで、部品点数の増加を抑えつつ、スペーサ部材の多機能化を図ることが可能となる。
【００１２】
本発明の一態様に係るパネル付什器において、前記オプション機能部は、前記スペーサ本体に対して前記パネルの前記一方の表面から離間する側に延び、物品を支持する物品支持部であってもよい。
このような構成によれば、パネルのガタ付きを抑えるスペーサ部材に、物品を支持する機能を付加することができる。
【００１３】
本発明の一態様に係るパネル付什器において、前記物品支持部は、前記パネルの前記一方の表面から離間する側に突出し、前記対向方向に連続する板状の受け部材であってもよい。
この構成によれば、受け部材上に物品を載置することができる。
【発明の効果】
【００１４】
本発明の一態様によれば、パネルのがたつきを有効に抑えつつ、パネルを容易に支持体に装着することができる。
【図面の簡単な説明】
【００１５】
【図１】本発明の実施形態に係るパネル付什器を示す斜視図である。
【図２】上記パネル付什器を示す正面図である。
【図３】上記パネル付什器を示す側面図である。
【図４】上記パネル付什器のフレームを示す斜視図である。
【図５】上記パネル付什器のフレームを構成する支持体の平断面図である。
【図６】上記パネル付什器を構成する下部パネル支持部材を示す分解斜視図である。
【図７】上記パネル付什器のパネルの下端部近傍を示す側断面図である。
【図８】上記パネル付什器を構成するパネルの下端部に設けた下部パネル支持部材及びスペーサ部材を示す正面図である。
【図９】上記パネル付什器を構成する上部パネル支持部材を示す分解斜視図である。
【図１０】上記パネル付什器に設けられたスペーサ部材を示す斜視図である。
【図１１】スペーサ部材の組み付け方法を示す上記パネル付什器の正面図である。
【図１２】スペーサ部材の組み付け方法を示す上記パネル付什器の正面図である。
【発明を実施するための形態】
【００１６】
以下、添付図面を参照して、本発明によるパネル付什器を実施するための形態を説明する。しかし、本発明はこれらの実施形態のみに限定されるものではない。
図１は、本発明の実施形態に係るパネル付什器１を示す斜視図である。図２は、パネル付什器１を示す正面図である。図３は、パネル付什器１を示す側面図である。
【００１７】
図１〜図３に示すように、本実施形態のパネル付什器１は、例えば、オフィスや病院、公共施設、研究施設等の室内空間に設置される。パネル付什器１は、フレーム２と、パネル５と、下部パネル支持部材（パネル支持部材）６と、上部パネル支持部材７と、スペーサ部材８と、を備えている。
【００１８】
フレーム２は、ベース部１０と、一対の支持体２０と、上部連結部３０と、を備えている。ベース部１０は、床等の設置面上に設置される。一対の支持体２０は、ベース部１０から鉛直上方に向かって延びている。一対の支持体２０は、水平方向に間隔をあけて互いに平行に設けられている。上部連結部３０は、一対の支持体２０の上端部同士を連結する。本実施形態のフレーム２の各部は、溶接可能な鋼材等の金属材から構成されているが、このような材料には限定されず、硬質な材料であれば、例えば、鋼（鉄）、ステンレス、アルミニウム、チタニウム、木材、樹脂等を用いて構成してもよい。
以下の説明において、一対の支持体２０同士が対向する方向を、幅方向Ｄｗ（対向方向）とする。また、設置面に直交して各支持体２０が延びる方向を上下方向Ｄｕｄとする。さらに、幅方向Ｄｗ及び上下方向Ｄｕｄに直交する方向を、前後方向Ｄｆｒとする。
【００１９】
図４は、パネル付什器のフレームを示す斜視図である。
図１〜図４に示すように、フレーム２のベース部１０、一対の支持体２０、及び上部連結部３０は、一対の線材４０Ａ，４０Ｂを用いて形成されている。一対の線材４０Ａ、４０Ｂは、パネル付什器１の前側と後側とに配置されている。線材４０Ａは、パネル付什器１の前側に設けられている。線材４０Ｂは、パネル付什器１の後側に設けられている。線材４０Ａ，４０Ｂは、それぞれ、断面円形の鋼材等の中実線材からなる環状部材であり、正面側又は背面側から見たパネル付什器１の輪郭を形成するように配置されている。線材４０Ａ，４０Ｂの断面形状（その延在方向に直交する方向での断面形状）は円形であるが、円形以外の形状（楕円形や多角形）であってもよい。線材４０Ａ、４０Ｂは中空の管状部材）であってもよい。
【００２０】
線材４０Ａ，４０Ｂは、それぞれ、線材上部４１と、線材下部４２と、一対の線材中間部４３と、一対の連結部４４と、を備えている。線材上部４１は、パネル付什器１の上部に配置され、幅方向Ｄｗに延びている。線材下部４２は、パネル付什器１の下部に配置され、床等の設置面に沿って設けられている。線材下部４２は、平面視コ字状で、幅方向Ｄｗに延びる幅方向線材部４２ａと、幅方向線材部４２ａの両端からそれぞれ前後方向Ｄｆｒに延びる一対の前後方向線材部４２ｂと、を有している。一対の線材中間部４３は、線材上部４１及び線材下部４２の間に配置され、上下方向Ｄｕｄに延びている。一対の線材中間部４３は、上端部が線材上部４１の両端部に接続されている。一対の連結部４４は、線材下部４２の一対の前後方向線材部４２ｂと一対の線材中間部４３の下端部とを連結している。
【００２１】
ベース部１０は、ベースパネル１１と、線材４０Ａ，４０Ｂの線材下部４２と、によって形成されている。
【００２２】
ベースパネル１１は、平面視略矩形の板状部材である。図２、図３に示すように、ベースパネル１１の下面の四隅にはアジャスター１２がそれぞれ取り付けられている。ベースパネル１１は、パネル付什器１が設置される設置面にアジャスター１２を介して配置される。アジャスター１２は、ベースパネル１１の下面から下方への突出寸法が調節可能である。ベースパネル１１の四隅のアジャスター１２の突出寸法を調節することで、設置面に傾斜や不陸があっても、パネル付什器１を適切な姿勢で設置することができる。
【００２３】
線材４０Ａ，４０Ｂの線材下部４２は、ベース部１０の輪郭を形成するように配置されている。線材下部４２の幅方向線材部４２ａは、ベースパネル１１の前後方向Ｄｆｒの端部に沿って設けられている。前後方向線材部４２ｂは、ベースパネル１１の幅方向Ｄｗの端部に沿って設けられている。線材下部４２は、溶接等によってベースパネル１１に接合されている。
なお、本実施形態のベース部１０は、平面視略矩形の板材であるが、パネル付什器１の安定性を確保できるのであれば、どのような形状であってもよい。
【００２４】
一対の支持体２０は、ベース部１０に支持され、ベース部１０から上方に延びるように立設された柱状部材である。本実施形態の一対の支持体２０は同一の構成を有している。一対の支持体２０はパネル付什器１の幅方向Ｄｗで互いに対向している。
【００２５】
図５は、パネル付什器１のフレーム２を構成する支持体２０の平断面図である。
図５に示すように、各支持体２０は、線材４０Ａ，４０Ｂの線材中間部４３，４３と、支持体本体２１と、内カバー２２と、外カバー２３と、によって形成されている。
【００２６】
線材４０Ａの線材中間部４３と、線材４０Ｂの線材中間部４３とは、各支持体２０において、パネル付什器１の幅方向Ｄｗで同一位置に配置され、前後方向Ｄｆｒに間隔をあけて互いに対向して設けられている。
【００２７】
支持体本体２１は、支持体２０の上下方向Ｄｕｄでの全長に亘って設けられている。支持体本体２１は、平断面視略コ字状で、主壁部２１ａと、一対の側壁部２１ｂと、を一体に備えている。主壁部２１ａは、前後方向Ｄｆｒに延びている。一対の側壁部２１ｂは、主壁部２１ａの前後方向Ｄｆｒ両端からパネル付什器１の幅方向Ｄｗ中央部に向かって延びている。支持体本体２１は鋼板等をプレス加工することで形成されているが、その他の加工方法（切削加工や鋳造等）を用いて形成してもよい。支持体本体２１は、パネル５を支持するための主構造体であることから、内カバー２２よりも厚い板材で形成されており、内カバー２２よりも高い剛性を有している。
支持体本体２１の一対の側壁部２１ｂの前後方向Ｄｆｒ外側を向く外面には、線材４０Ａ，４０Ｂの線材中間部４３，４３が溶接によって接合されている。これにより、支持体本体２１は、線材４０Ａ，４０Ｂの線材中間部４３、４３に支持されている。
【００２８】
内カバー２２は、支持体本体２１に対し、パネル付什器１の幅方向Ｄｗ内側に設けられている。内カバー２２は上下方向Ｄｕｄに延びており、支持体２０の上下方向Ｄｕｄでの全長に亘って設けられている。内カバー２２は、溝形成部２４と、一対の鍔部２５と、を一体に備えている。内カバー２２は鋼板等をプレス加工することで形成されているが、その他の加工方法を用いて形成してもよい。
【００２９】
溝形成部２４は、支持体本体２１の一対の側壁部２１ｂ間に配置されている。溝形成部２４は、平面視コ字状で、前後方向Ｄｆｒに沿う主壁部２４ａと、一対の側壁部２４ｂと、を備えている。主壁部２４ａは、支持体本体２１の主壁部２１ａに沿うよう設けられている。主壁部２４ａは、スポット溶接、ネジ止め、接着剤等によって主壁部２１ａに固定されている。一対の側壁部２４ｂは、主壁部２４ａの前後方向Ｄｆｒの両端からパネル付什器１の幅方向Ｄｗ内側に沿って延びている。一対の側壁部２４ｂと支持体本体２１の一対の側壁部２１ｂとの間には、それぞれ、前後方向Ｄｆｒに隙間が形成されている。
【００３０】
一対の鍔部２５は、溝形成部２４の一対の側壁部２４ｂの幅方向Ｄｗ内側の端部から、前後方向Ｄｆｒ外側に向かって、互いに離間するように突出している。鍔部２５の前後方向Ｄｆｒでの先端は、支持体本体２１の側壁部２１ｂよりも前後方向Ｄｆｒ外側に位置している。このため鍔部２５は、支持体本体２１の側壁部２１ｂと線材中間部４３との接合箇所（溶接箇所）を外部から幅方向Ｄｗに遮蔽している。なお、一対の鍔部２５の外面（幅方向Ｄｗ内側を向く表面）が、支持体２０の内側面２０ｉに相当する。
【００３１】
このような内カバー２２には、溝形成部２４の主壁部２４ａと一対の側壁部２４ｂとにより、支持体２０の延在方向である上下方向Ｄｕｄに延びる凹溝２６が形成されている。凹溝２６は、一対の支持体２０の対向方向（幅方向Ｄｗ）内側を向く内側面２０ｉにおいて、パネル付什器１の幅方向Ｄｗ外側に窪んで形成されている（幅方向Ｄｗ内側に向けて開口している）。図４に示すように、凹溝２６は、支持体２０の延在方向である上下方向Ｄｕｄに延びている。凹溝２６は、支持体２０の全長に亘って形成されており、凹溝２６の上下方向Ｄｕｄでの上端部は、上方に向かって開口している。なお、凹溝２６の上下方向Ｄｕｄでの下端部は、下方に向かって開口していてもよいし、閉塞されていてもよい。
このように、溝形成部２４が凹溝２６を形成しているため、溝形成部２４の側壁部２４ｂの内面のうち、前後方向Ｄｆｒの内側を向く面（パネル５の後述する表面５ｆと対向する面）が、凹溝２６の側面２６ｓに相当する。
【００３２】
図５に示すように、外カバー２３は、支持体本体２１に対し、パネル付什器１の幅方向Ｄｗ外側に設けられている。外カバー２３は上下方向Ｄｕｄに延びており、支持体２０の上下方向Ｄｕｄでの全長に亘って設けられている。外カバー２３は、主壁部２３ａと、一対の傾斜壁部２３ｂと、を備えている。主壁部２３ａは、前後方向Ｄｆｒに延び、支持体本体２１の主壁部２１ａに対し、パネル付什器１の幅方向Ｄｗ外側から沿うように設けられている。一対の傾斜壁部２３ｂは、主壁部２３ａの前後方向Ｄｆｒでの両側縁から、前後方向Ｄｆｒ外側に向かうに従いパネル付什器１の幅方向Ｄｗ内側に向かって傾斜して延びている。一対の傾斜壁部２３ｂは、支持体本体２１の側壁部２１ｂと線材中間部４３との接合箇所（溶接箇所）を外部から遮蔽している。
このような外カバー２３の支持体本体２１への固定方法は特に限定されず、例えば接着剤や両面テープを用いる方法や、外カバー２３に設けられた係止突片（図示せず）を支持体本体２１に形成された係止孔（図示せず）に係止して固定する方法等が挙げられる。
【００３３】
図４に示すように、上部連結部３０は、線材４０Ａ，４０Ｂの線材上部４１、４１によって形成されている。線材４０Ａ，４０Ｂの線材上部４１，４１は、それぞれ幅方向Ｄｗに延びている。線材４０Ａ，４０Ｂの線材上部４１，４１は、線材４０Ａ，４０Ｂの幅方向Ｄｗ両側に設けられた一対の線材中間部４３の上端部同士を連結している。このようにして、上部連結部３０は、一対の支持体２０の上端部同士を互いに連結している。
上部連結部３０において、前側に配置された線材４０Ａの線材上部４１と、後側に配置された線材４０Ａの線材上部４１とは、前後方向Ｄｆｒに間隔をあけて設けられている。これにより、上部連結部３０には、前後の線材上部４１、４１間に、後述するパネル５が上下方向Ｄｕｄに通過可能な隙間Ｇ１が形成されている。
【００３４】
図１、図２に示すように、パネル５は、一対の支持体２０間に設けられている。パネル５は、板状で、前後方向Ｄｆｒに直交し、幅方向Ｄｗを含む鉛直面内に配置されている。図５に示すように、パネル５は、例えば、パネル本体５１と、パネル５の前後方向Ｄｆｒ両側の表面５ｆを覆う表皮材５２と、を備えている。パネル本体５１は、各種の金属材、樹脂材、木材等から形成されている。表皮材５２は、布材、樹脂材等、各種の材料から形成することができる。本実施形態において、パネル５は、マーカー等の筆記具で筆記可能なホワイトボードとして用いられ、表皮材５２は、筆記具で筆記可能な素材で形成されている。また、本実施形態において、表皮材５２は、マグネットが磁着可能な金属粉等の磁性材料を含んで形成されている。表皮材５２は、金属膜や金属板で形成してもよい。
【００３５】
このようなパネル５は、幅方向Ｄｗの寸法が、幅方向Ｄｗ両側に設けられた一対の支持体２０の内側面２０ｉ同士の間隔よりも大きく形成されている。これにより、パネル５の幅方向Ｄｗの両端部５ｓは、一対の支持体２０に設けられた凹溝２６内に挿入されて設けられている。パネル５の幅方向Ｄｗの両端部５ｓは、凹溝２６内で、溝形成部２４の主壁部２４ａに対して幅方向Ｄｗで対向する。パネル５は、幅方向Ｄｗの両端部５ｓを、図示しないビスにより支持体２０に締結するようにしてもよい。
【００３６】
パネル５は、前後方向Ｄｆｒの厚みが、凹溝２６の前後方向Ｄｆｒ両側の側面２６ｓ，２６ｓの間隔（溝幅）より小さく形成されている。これにより、パネル５の前後方向Ｄｆｒ両側の表面５ｆは、凹溝２６の前後方向Ｄｆｒ両側の側面２６ｓ，２６ｓとの間に、隙間Ｇ２を有して設けられている。
【００３７】
図１、図２に示すように、下部パネル支持部材６は、パネル５の上下方向Ｄｕｄ下側に設けられている。下部パネル支持部材６は、一対の支持体２０の対向方向である幅方向Ｄｗに延びている。
【００３８】
図６は、パネル付什器１を構成する下部パネル支持部材６を示す分解斜視図である。図７は、パネル付什器１のパネル５の下端部近傍を示す側断面図である。
図６、図７に示すように、下部パネル支持部材６は、支持部材本体６１と、カバー材６２と、を備えている。支持部材本体６１は、幅方向Ｄｗに延びる断面矩形の角形鋼材からなる。支持部材本体６１の幅方向Ｄｗ両端部には、雌ネジ孔６１ｈ（図６参照）が形成されている。カバー材６２は、下面カバー部６２ａと、一対の前後面カバー部６２ｂと、を備えている。下面カバー部６２ａは、支持部材本体６１の下面を覆うように設けられている。一対の前後面カバー部６２ｂは、下面カバー部６２ａの前後方向Ｄｆｒ両端部から上方に向かって延び、支持部材本体６１の前後方向Ｄｆｒの両面を覆うよう設けられている。一対の前後面カバー部６２ｂ上には、一対の傾斜カバー部６２ｃが連続して形成されている。一対の傾斜カバー部６２ｃは、上方に向かって前後方向Ｄｆｒの間隔が漸次狭くなるように傾斜して延びている。
【００３９】
図８は、パネル付什器１を構成するパネル５の下端部に設けた下部パネル支持部材６及びスペーサ部材８を示す正面図である。
図８に示すように、このような下部パネル支持部材６は、幅方向Ｄｗの両端部６ｓを、一対の支持体２０の凹溝２６内に挿入し、図示しないビスを、支持体２０を貫通して雌ネジ孔６２ｈ（図６参照）に締結することにより、支持体２０に固定される。下部パネル支持部材６は、パネル５の下端部５ｂを支持する。パネル５の下端部５ｂは、一対の傾斜カバー部６２ｃの間に挿入され、支持部材本体６１上で支持される。
【００４０】
図１、図２に示すように、上部パネル支持部材７は、パネル５の上下方向Ｄｕｄ上側に設けられている。上部パネル支持部材７は、一対の支持体２０の対向方向である幅方向Ｄｗに延びている。
【００４１】
図９は、パネル付什器１を構成する上部パネル支持部材７を示す斜視図である。
図９に示すように、上部パネル支持部材７は、支持部材本体７１と、カバー材７２と、を備えている。支持部材本体７１は、幅方向Ｄｗに延びる断面矩形の角形鋼材からなる。支持部材本体７１の幅方向Ｄｗの両端部には、雌ネジ孔７１ｈが形成されている。カバー材７２は、上面カバー部７２ａと、一対の前後面カバー部７２ｂと、を備えている。上面カバー部７２ａは、支持部材本体７１の上面を覆うように設けられている。一対の前後面カバー部７２ｂは、上面カバー部７２ａの前後方向Ｄｆｒ両端部から下方に向かって延び、支持部材本体７１の前後方向Ｄｆｒの両面を覆うよう設けられている。一対の前後面カバー部７２ｂの下側には、一対の傾斜カバー部７２ｃが連続して形成されている。一対の傾斜カバー部７２ｃは、下方に向かって前後方向Ｄｆｒの間隔が漸次狭くなるように傾斜して延びている。
【００４２】
このような上部パネル支持部材７は、幅方向両端部を、一対の支持体２０の凹溝２６内に挿入し、図示しないビスを、支持体２０を貫通して雌ネジ孔７２ｈに締結することにより、支持体２０に固定される。上部パネル支持部材７は、パネル５の上端部５ｔが一対の傾斜カバー部７２ｃの間に挿入されることで、パネル５の上方への移動を拘束する。
【００４３】
図５、図７に示すように、スペーサ部材８は、パネル５の前後方向Ｄｆｒ両側に着脱可能に設けられている。図８に示すように、スペーサ部材８は、一対の支持体２０の対向方向である幅方向Ｄｗに延びている。
【００４４】
図１０は、パネル付什器１に設けられたスペーサ部材８を示す斜視図である。
図５、図７、図１０に示すように、スペーサ部材８は、スペーサ本体８１と、一対の爪部８２と、マグネット８３と、を備えている。
【００４５】
スペーサ本体８１は、一対の支持体２０の間で幅方向Ｄｗに延びる帯状の板材からなる。スペーサ本体８１は、一対の支持体２０の間でパネル５の表面５ｆに沿わせて設けられている。図５、図８に示すように、スペーサ本体８１の幅方向Ｄｗの長さＱ１は、一対の支持体２０の内側面２０ｉの間隔Ｑ２よりも小さく設定されている。
【００４６】
一対の爪部８２は、スペーサ本体８１の幅方向Ｄｗ両側に設けられている。換言すると、一対の爪部８２は、スペーサ部材８の幅方向Ｄｗ両端に位置している。各爪部８２は、スペーサ本体８１と一体に設けられている。各爪部８２は、スペーサ本体８１の幅方向Ｄｗ両側の端部から幅方向Ｄｗ外側に突出している。一対の爪部８２の先端同士を結ぶ幅方向Ｄｗの長さＱ３は、一対の支持体２０の内側面２０ｉの間隔Ｑ２よりも大きく設定されている。図５に示すように、各爪部８２は、パネル５の表面５ｆと凹溝２６の側面２６ｓとの間の隙間Ｇ２に挿入され、パネル５の表面５ｆと凹溝２６の側面２６ｓとに前後方向Ｄｆｒで挟み込まれている。すなわち、本実施形態のスペーサ部材８は、爪部８２がパネル５の表面５ｆと各凹溝２６の側面２６ｓとの間に挟みこまれた状態で、各支持体２０間に幅方向Ｄｗで架け渡されている。
【００４７】
本実施形態において、爪部８２は、スペーサ本体８１の上下方向Ｄｕｄの上端部に設けられている。爪部８２は、スペーサ本体８１の上端部以外の他の部分に設けてもよい。また、爪部８２は、スペーサ本体８１の上下方向Ｄｕｄの全長にわたって設けてもよい。爪部８２は、パネル５の表面５ｆと凹溝２６の側面２６ｓとの間に挿入される。爪部８２とマグネット８３とを含んだ前後方向Ｄｆｒにおける厚みは、パネル５の表面５ｆと凹溝２６の側面２６ｓとの隙間Ｇ２の寸法と同等以下とされている。
【００４８】
マグネット８３は、スペーサ本体８１において、パネル５の表面５ｆに対向する側に設けられている。マグネット８３は、スペーサ本体８１だけではなく、爪部８２において表面５ｆに対向する側に設けてもよい。マグネット８３は、磁性材料を含んで形成されたパネル５の表皮材５２に磁着される。これにより、スペーサ部材８は、パネル５の表面５ｆに確実に固定される。
【００４９】
図５、図７、図１０に示すように、スペーサ部材８は、スペーサ本体８１に配設されたオプション機能部８５を備えている。本実施形態のオプション機能部８５は、物品を支持する受け部材（物品支持部）８７である。受け部材８７は、スペーサ本体８１の下端部から前後方向Ｗｆｒの外側（パネル５の表面５ｆから離間する側）に突出している。受け部材８７は、幅方向Ｄｗに沿って、スペーサ本体８１のほぼ全長にわたって設けられている。受け部材８７の先端部には、前後方向Ｄｆｒの外側に向かうに従い斜め上方に延びる返し部８７ａが形成されている。このような受け部材８７は、スペーサ本体８１と一体に形成されている。
本実施形態において、パネル５は、例えばホワイトボードとして用いられる。この場合、受け部材８７上に、ホワイトボードに筆記するためのマーカー等の筆記具、ホワイトボードに筆記したものを消すイレーサー等を載置することができる。また、受け部材８７は、イレーサーでホワイトボードに記述したものを消したときに、インクの粉等を受けることもできる。
【００５０】
上記したようなパネル付什器１を組み立てるに際しては、まず、図４に示すように、設置面上に、予め組み立てたフレーム２をセットする。
【００５１】
次いで、フレーム２の一対の支持体２０の凹溝２６間に、下部パネル支持部材６を挿入し、その幅方向Ｄｗ両端部６ｓをビス（図示無し）で支持体２０に締結する。
次に、図５に示すように、フレーム２の上部連結部３０を構成する前後一対の線材上部４１，４１間に形成された隙間Ｇ１に、パネル５を上下方向Ｄｕｄの上方から下方に通過させて、パネル５の幅方向Ｄｗの両端部５ｓを、一対の支持体２０の凹溝２６内にそれぞれ挿入する。続いて、パネル５を下方に移動させていき、パネル５の下端部５ｂを下部パネル支持部材６上に載置する。
【００５２】
次に、フレーム２の一対の支持体２０の凹溝２６間に、上部パネル支持部材７を挿入し、パネル５の上端部５ｔ上に載せる。続いて、上部パネル支持部材７の幅方向Ｄｗ両端部をビス（図示無し）で支持体２０に締結する。
【００５３】
図１１は、スペーサ部材８の組み付け方法を示す上記パネル付什器１の正面図である。
次に、スペーサ部材８の幅方向Ｄｗの両端部（爪部８２）を、パネル５の表面５ｆと凹溝２６の側面２６ｓとの間の隙間Ｇ２に挿入する。これには、図１１に示すように、スペーサ部材８を、幅方向Ｄｗ一方の側から幅方向Ｄｗ他方の側に向かって斜めに傾斜させる。すると、幅方向Ｄｗ一方の側の爪部８２と、幅方向Ｄｗ他方の側の爪部８２との幅方向Ｄｗにおける間隔Ｐが、一対の支持体２０の内側面２０ｉの間隔Ｑ２よりも小さくなる。この状態で、スペーサ部材８を、前後方向Ｄｆｒにおいてパネル５の表面５ｆに接近させ、表面５ｆに沿わせる。
【００５４】
図１２は、スペーサ部材８の組み付け方法を示す上記パネル付什器１の正面図である。
続いて、図１２に示すように、スペーサ部材８を、幅方向Ｄｗ一方の側から幅方向Ｄｗ他方の側まで水平方向に延びるように回転させる。すると、スペーサ部材８の幅方向Ｄｗ両端部に設けられた爪部８２が、それぞれ、パネル５の表面５ｆと凹溝２６の側面２６ｓとの間の隙間Ｇ２に挿入される。
【００５５】
その後、図８に示すように、スペーサ部材８を、パネル５の表面５ｆに沿わせて下方にスライドさせ、下部パネル支持部材６に突き当てる。なお、スペーサ部材８の上下位置は適宜変更が可能である。
これにより、パネル付什器１の組立が完了する。
【００５６】
このように、本実施形態のパネル付什器１では、一対の支持体２０の間に配置され、幅方向Ｄｗの両端部５ｓが凹溝２６内に挿入されたパネル５を備える構成とした。
このような構成によれば、上下方向Ｄｕｄに延びる凹溝２６を、一対の支持体２０に設けることで、パネル５の両端部５ｓを上下方向Ｄｕｄに沿って凹溝２６内に挿入すれば、パネル５を支持体２０に装着することができる。
【００５７】
しかも、本実施形態のパネル付什器１では、パネル５の表面５ｆと凹溝２６の側面２６ｓとの間にスペーサ部材８が挟み込まれる構成とした。
この構成によれば、スペーサ部材８における幅方向Ｄｗの両端部（爪部８２）を、パネル５の表面５ｆと凹溝２６の側面２６ｓとの間に挟み込むことで、凹溝２６内でパネル５が厚み方向に動いてガタ付きを生じるのを抑えることができる。
特に、本実施形態では、スペーサ部材８が各支持体２０間に幅方向Ｄｗで架け渡されるので、パネル５の表面５ｆと各凹溝２６の側面２６ｓとの間に別々のスペーサを介在させる場合に比べ、組付性の向上を図ることができる。また、スペーサ部材８の着脱時には、例えばスペーサ部材８における幅方向Ｄｗの中央部を把持した状態で、スペーサ部材８を操作させることができる。これによっても、組付性等の向上を図ることができる。
【００５８】
本実施形態のパネル付什器１では、幅方向Ｄｗの両端部６ｓが凹溝２６内に挿入されるとともに、パネル５の下端部を支持する下部パネル支持部材６を備え、スペーサ部材８が下部パネル支持部材６上に設けられているようにした。
このような構成によれば、パネル５の下端部を下部パネル支持部材６によって下方から支持することができる。しかも、パネル付什器１の組み付け時において、下部パネル支持部材６をパネル５よりも先に取り付けた状態で、パネル５を、上方から凹溝２６に挿入して下部パネル支持部材６に突き当てることで、パネル５の上下方向Ｄｕｄの位置を決めることができる。これにより、組付性を向上させることができる。
【００５９】
本実施形態のパネル付什器１では、パネル５が磁性材料を含んで形成され、スペーサ部材８がパネル５に磁着可能なマグネット８３を備えるようにした。
このような構成によれば、スペーサ部材８をマグネット８３によりパネル５の表面５ｆに容易に固定することができる。これにより、スペーサ部材８は、パネル５の表面５ｆと凹溝２６の側面２６ｓとの間に挟み込まれた爪部８２に加えて、マグネット８３でもパネル５に固定されることになる。したがって、スペーサ部材８を、より強固に固定することが可能となる。
【００６０】
本実施形態のパネル付什器１では、スペーサ部材８は、一対の支持体２０の間でパネル５の表面５ｆに沿うスペーサ本体８１と、スペーサ本体８１から幅方向Ｄｗ両側に突出し、パネル５の表面５ｆと凹溝２６の側面２６ｓとの間の隙間Ｇ２に挿入される爪部８２と、を備えるようにした。
このような構成によれば、スペーサ本体８１から両側に突出する爪部８２を、パネル５の表面５ｆと凹溝２６の側面２６ｓとの間の隙間Ｇ２に挿入することで、凹溝２６内でパネル５が厚み方向に動いてガタ付きを生じるのを抑えることができる。このようなスペーサ部材８は、スペーサ本体８１を一対の支持体２０の幅方向Ｄｗにおける間隔よりも小さくすることができる。これにより、スペーサ本体８１については、凹溝２６内への挿入を考慮することなく設計することなく、高い自由度での設計を行うことができる。
【００６１】
本実施形態のパネル付什器１では、スペーサ部材８は、スペーサ本体８１に配設されたオプション機能部８５を備えるようにした。
このような構成によれば、パネル５のガタ付きを抑えるスペーサ部材８に、オプション機能を備えることで、部品点数の増加を抑えつつ、部材の多機能化を図ることが可能となる。
【００６２】
本実施形態のパネル付什器１では、オプション機能部８５が、パネル５の表面５ｆから離間する側に突出して、物品を支持する受け部材８７である構成とした。
このような構成によれば、パネル５のガタ付きを抑えるスペーサ部材８に、各種の物品を支持する機能を付加することができる。例えば、パネル５を、ホワイトボードとして用いる場合、ホワイトボードに筆記するためのマーカー等の筆記具、ホワイトボードに筆記したものを消すイレーサー等を載置することができる。また、受け部材８７は、イレーサーでホワイトボードに記述したものを消したときに、インクの粉等を受けることもできる。
また、本実施形態では、上記したようにパネル５の表面５ｆと凹溝２６の側面２６ｓとの間の隙間Ｇ２に爪部８２が挿入されることで、受け部材８７に物品を載置した際、スペーサ部材８にパネル５から離れる方向の回転モーメントが作用したとしても、爪部８２がスペーサ部材８の脱落防止部材として機能する。これにより、スペーサ部材８が安定して取り付けられる。
【００６３】
（その他の実施形態）
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上記実施形態では、支持体２０を、線材４０Ａ，４０Ｂの線材中間部４３、４３と、支持体本体２１と、内カバー２２と、外カバー２３とを備え、内カバー２２に凹溝２６を形成するようにしたが、これに限らない。支持体２０を一本の柱状部材のみから形成し、支持体２０自体に凹溝２６を形成してもよい。
【００６４】
また、上記実施形態では、スペーサ部材８を、パネル５の下端部にのみ設けるようにしたが、これに限らない。スペーサ部材８は、パネル５の上端部や、パネル５の上下方向Ｄｕｄ中間部に、上述した実施形態と同様にして設けることもできる。
さらに、上記実施形態では、一対の支持体２０及び凹溝２６を、上下方向Ｄｕｄに延びるように設け、スペーサ部材８を、一対の支持体２０の対向方向である幅方向Ｄｗに延びるように設けたが、これに限らない。一対の支持体２０及び凹溝２６を、上下方向Ｄｕｄに対向させ、それぞれが幅方向Ｄｗに延びるように設けてもよい。この場合、スペーサ部材８は、上下一対の支持体２０の対向方向である上下方向Ｄｕｄに延びるように設け、その両端部を、一対の支持体２０に形成された凹溝２６内に挿入し、パネル５の表面５ｆと凹溝２６の側面２６ｓとの間に挟み込む。
【００６５】
また、上記実施形態では、スペーサ部材８を、パネル５の前後方向Ｄｆｒ両側にそれぞれ設けるようにしたが、いずれか一方の側のみに設けるようにしても良い。
【００６６】
また、上記実施形態では、オプション機能部８５として、受け部材８７を有する構成としたが、これに限るものではない。オプション機能部８５としては、例えば、スペーサ本体８１からパネル５の表面５ｆから離間する方向に突出し、物品を吊下する係止フック（物品支持部）等を設けてもよい。
これ以外にも、オプション機能部８５（物品支持部）としては、各種の物品を支持できるのであれば、その形態を問うものではない。
加えて、オプション機能部８５としては、物品支持部８６以外のものを設けてもよい。例えば、オプション機能部８５として、照明装置、モニタ装置等の各種の機器等を設けてもよい。
【００６７】
上記実施形態では、パネル５は、パネル本体５１と、表皮材５２と、を備える構成としたが、これに限らない。表皮材５２は、前後方向Ｄｆｒ一方の側のみに設けるようにしてもよいし、表皮材５２を備えない構成とすることもできる。
【００６８】
また、上記実施形態では、一対の支持体２０は上下方向Ｄｕｄに延びる柱状部材であるが、互いに対向して設けられるのであればどのような形状であってもよく、例えば互いに対向して設けられる板状部材であってもよいし、一方向に延びている形状以外の部材であってもよい。
【００６９】
また、上記実施形態では、パネル５を、ホワイトボードとして用いるようにしたが、パネル５の用途については何ら限定するものはない。パネル５を、チョークで情報を筆記して表示する黒板としてもよい。さらに、パネル５を、空間を仕切るため。写真や書類等を展示するため等、様々な用途に用いることができる。
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７０】
１  パネル付什器
５  パネル
５ｂ  下端部
５ｆ  表面
５ｓ  両端部
６  下部パネル支持部材（パネル支持部材）
７ｓ  幅方向両端部
８  スペーサ部材
２０  支持体
２０ｉ  内側面
２６  凹溝
２６ｓ  側面
８１  スペーサ本体
８２  爪部
８３  マグネット
８５  オプション機能部
８７  受け部材
Ｄｆｒ  前後方向
Ｄｕｄ  上下方向
Ｄｗ  幅方向（対向方向）
【図１】
2020065875.tif 000003
【図２】
2020065875.tif 000004
【図３】
2020065875.tif 000005
【図４】
2020065875.tif 000006
【図５】
2020065875.tif 000007
【図６】
2020065875.tif 000008
【図７】
2020065875.tif 000009
【図８】
2020065875.tif 000010
【図９】
2020065875.tif 000011
【図１０】
2020065875.tif 000012
【図１１】
2020065875.tif 000013
【図１２】
2020065875.tif 000014